(57)【要約】【課題】与えられたスペース一杯に１つのアンテナ素子に利用しつつ、回路のシリーズ段数を費やすことによる通過ロスの増大が無く、複数のポートを備えたアンテナ装置を構成する。【解決手段】基板３１上にローバンド用可変マッチング回路３０Ｌ及びハイバンド用可変マッチング回路３０Ｈが構成されている。そして、アンテナ素子電極２１が形成されたアンテナ素子２０が、基板３１の非グランド領域ＮＧＡに実装されることによってアンテナ装置１０１が構成される。アンテナ接続部３２から分岐点を境に二つの出力ポートへの分岐経路が延びていて、各経路は可変マッチング回路３０Ｌ，３０Ｈをそれぞれ介在して給電部４０Ｌ，４０Ｈに接続されている。可変マッチング回路３０Ｌ，３０Ｈの制御によって、可変マッチング回路３０Ｌ，３０Ｈはアンテナとの整合とＲＦ回路の切替（ダイプレックス／マルチプレックス）とを兼用する。【選択図】図２
2011055258.tif 000002
【特許請求の範囲】
【請求項１】
アンテナ素子と給電部との間に接続されるアンテナ整合回路、及び前記アンテナ素子を備えたアンテナ装置であって、
前記アンテナ整合回路は周波数帯域毎の複数の可変マッチング回路で構成され、
前記可変マッチング回路のアンテナ側ポートは共通接続され、
前記可変マッチング回路は、使用通信ポートとアンテナ側ポートとを整合させ、前記アンテナ側ポートからみて非使用通信ポートが高インピーダンスとなるように制御可能に構成された、アンテナ装置。
【請求項２】
前記可変マッチング回路は、可変容量素子を含み、前記可変容量素子の制御によって前記整合状態と前記高インピーダンス状態とを切り替える、請求項１に記載のアンテナ装置。
【請求項３】
前記可変容量素子は、ＭＥＭＳスイッチで構成された、請求項２に記載のアンテナ装置。
【請求項４】
前記可変マッチング回路は、前記給電部から前記アンテナ側ポートの方向に前記可変マッチング回路を見たリターンロス特性が、利用周波数の帯域でそれぞれ複共振特性となるインピーダンス回路で構成された、請求項１〜３のいずれかに記載のアンテナ装置。
【請求項５】
前記可変マッチング回路は、前記アンテナ素子の根元部に接続される可変リアクタンス部と、前記給電部と前記可変リアクタンス部との間に接続されるマッチング部と、を備え、
前記マッチング部は、前記給電部とグランドとの間にそれぞれシャントに接続される並列インダクタ及び並列キャパシタで構成され、
前記可変リアクタンス部は、複数の周波数帯に対応するために共振周波数を切替えると共に、人体の影響により変化する共振周波数を微調整するリアクタンス値に定められ、
前記並列インダクタは、前記給電部から前記可変マッチング回路側を見たインピーダンスの軌跡がスミスチャートのほぼ第１象限で小円軌跡を描く値に定められ、
前記並列キャパシタは、前記小円軌跡が前記スミスチャート上の中央へ移動させる値に設定された、請求項１〜４のいずれかに記載のアンテナ装置。
【請求項６】
前記アンテナ整合回路を構成する回路要素の一部または全部が、誘電体層と導体層との積層体である多層基板にパッケージ化された、請求項１〜５のいずれかに記載のアンテナ装置。
【請求項７】
前記アンテナ素子は、誘電体または磁性体の基体と、前記基体の表面または前記基体の内部に配置されたアンテナ素子電極とから構成され、前記基体に前記アンテナ整合回路が内包された、請求項１〜６のいずれかに記載のアンテナ装置。
【請求項８】
前記アンテナ素子は、前記アンテナ整合回路のアンテナ接続部に接続可能な複数種のアンテナ素子のうち、前記アンテナ素子の単体で放射Ｑの良好なアンテナ素子である、請求項１〜７のいずれかに記載のアンテナ装置。
【請求項９】
前記複数種のアンテナ素子の選択条件は、前記アンテナ素子に対する給電点の位置、前記アンテナ素子と対向するグランドとの間隔、前記アンテナ素子のサイズのいずれか又はこれらの複数の組み合わせである、請求項８に記載のアンテナ装置。
【発明の詳細な説明】
【技術分野】
【０００１】
この発明は、例えば携帯電話端末に備えられるアンテナ装置に関するものである。
【背景技術】
【０００２】
携帯電話端末等の移動体無線端末用アンテナ装置の性能として、マルチバンドに対応するとともに小型化することが常に要求される。
【０００３】
マルチバンドに対応するアンテナ装置として非特許文献１が開示されている。図１は非特許文献１のアンテナ装置の構成を示す図である。
非特許文献１のアンテナ装置は、与えられたスペースにローバンド（８００ＭＨｚ〜９００ＭＨｚ）用のアンテナ素子６、ハイバンド（１．７ＧＨｚ〜２ＧＨｚ）用のアンテナ素子７が設置され、アンテナ素子６の給電点４とアンテナスイッチ１との間に整合回路２が設けられ、アンテナ素子７の給電点５とアンテナスイッチ１との間に整合回路３が設けられている。
【先行技術文献】
【非特許文献】
【０００４】
【非特許文献１】ＮＴＴ  ＤｏＣｏＭｏテクニカルジャーナル  Ｖｏｌ．１４  Ｎｏ．２
【発明の概要】
【発明が解決しようとする課題】
【０００５】
ところが、非特許文献１に開示されているアンテナ装置では、与えられたスペースをローバンド用とハイバンド用の２つのアンテナに仕切る（エリアを分割する）ことになるので、個々のアンテナ素子が小さくなって、放射Ｑが劣化し放射能力が損なわれる。加えて２つのアンテナ素子が近接しているため、周波数が近いと干渉が生じ、遠いと一方が他方に対し近接金属体に見える。いずれの場合でも特性劣化が懸念される。
【０００６】
仮に、単一のアンテナ素子を用い、アンテナ素子の（出力）ポートからダイプレクサ等を介して分波する構成では、マッチング回路とダイプレクサ（又はスイッチ）との２段の回路により通過ロスが生じる。
【０００７】
そこで、この発明の目的は、与えられたスペース一杯を１つのアンテナ素子に利用しつつ、回路のシリーズ段数を費やすことによる通過ロスの増大が無く、複数のポートを備えたアンテナ装置を提供することにある。
【課題を解決するための手段】
【０００８】
上記課題を解決するために、この発明は次のように構成する。
（１）アンテナ素子と、前記アンテナ素子と給電部との間に接続されるアンテナ整合回路と、を備えたアンテナ装置であって、
前記アンテナ整合回路は、周波数帯域毎の複数の可変マッチング回路で構成され、
各可変マッチング回路のアンテナ（出力）ポートは共通接続され、
各可変マッチング回路は、使用通信ポートとアンテナ（出力）ポートとを整合させ、前記アンテナポート（共通接続点）からみて非使用通信ポート側が高インピーダンスとなるように制御されるように（制御可能に）構成されたことを特徴とする。
【０００９】
上記の構造により、前記可変マッチング回路はアンテナとの整合とＲＦ回路の切替（ダイプレックス／マルチプレックス）とを兼用することになり、シリーズに接続される段数を増すことなく、一つのアンテナ素子を兼用することができる。すなわち、複数のアンテナポートに接続されるＲＦ回路は一つのアンテナ素子を兼用することができる。したがって、与えられたスペース一杯にアンテナ素子を設けることができ、エリア分割に伴う弊害を回避し良好なアンテナ特性（帯域幅，効率）を得ることができる。
【００１０】
（２）前記可変マッチング回路は、可変容量素子を含み、前記可変容量素子の制御によって前記整合状態と前記高インピーダンス状態とを切り替える。
【００１１】
この構成により、分岐点からみて非使用通信ポートに高インピーダンスを現出することで、通信ポート間のアイソレーションが確保される、アンテナ素子−使用通信ポート間の通電状態（マッチング）に悪影響を与えない、といった効果を奏する。
【００１２】
（３）前記可変容量素子は、ＭＥＭＳスイッチで構成されている。
このことにより、高調波歪みの発生を抑えて整合をとることができる。
【００１３】
（４）前記可変マッチング回路は、前記給電部から前記アンテナ側ポートの方向に前記可変マッチング回路を見たリターンロス特性が、利用周波数の帯域でそれぞれ複共振特性となるインピーダンス回路で構成する。
【００１４】
この構成により次のような効果を奏する。
各通信ポートに可変マッチング回路が接続されているため、各通信ポートに割当てられている周波数帯に対し、それぞれ良好に整合することになる。
可変マッチング回路であることで、アンテナを小型化又は広帯域化できる。
アンテナ素子部の設計簡略化、標準化あるいは少品種化が期待できる。
【００１５】
（５）前記可変マッチング回路は、前記アンテナ素子の根元部に接続される可変リアクタンス部と、前記給電部と前記可変リアクタンス部との間に接続されるマッチング部と、を備え、
前記マッチング部は、前記給電部とグランドとの間にそれぞれシャントに接続される並列インダクタ及び並列キャパシタで構成され、
前記可変リアクタンス部は、複数の周波数帯に対応するために共振周波数を切替えると共に、人体の影響により変化する共振周波数を微調整するリアクタンス値に定められ、
前記並列インダクタは、前記給電部から前記可変マッチング回路側を見たインピーダンスの軌跡がスミスチャートのほぼ第１象限で小円軌跡を描く値に定められ、
前記並列キャパシタは、前記小円軌跡が前記スミスチャート上の中央へ移動させる値に設定する。
【００１６】
この構成により、周囲影響に応じた良好なマッチング状態を供出できる。すなわち、人体の手や躰の影響によってずれる、アンテナと給電回路とのマッチング（＝アンテナの入力インピーダンス）が補正され、人体の手や躰の影響を受けた環境下でより良いＶＳＷＲ特性となる。
【００１７】
（６）前記アンテナ整合回路を構成する回路要素の一部または全部が、誘電体層と導体層との積層体である多層基板にパッケージ化されている。
これにより、実装先の回路基板上に実装可能な部品として扱うことができ、回路基板上の占有面積が削減できる。
【００１８】
（７）前記アンテナ素子は、誘電体または磁性体の基体と、前記基体の表面または前記基体の内部に配置されたアンテナ素子電極とから構成され、前記基体は前記アンテナ整合回路を内包している。
【００１９】
この構成により、素子の小型化もさることながら実装先の回路基板上へのアンテナ整合回路用部品の実装が不要または少なくなり、その分全体の小型化が図れる。
【００２０】
（８）前記アンテナ素子は、前記アンテナ整合回路のアンテナ接続部に接続可能な複数種のアンテナ素子のうち、前記アンテナ素子の単体で放射Ｑの良好なアンテナ素子である。
【００２１】
この構成により、放射Ｑの良好なアンテナを前記アンテナ整合回路に接続することによって、効率の高いアンテナ装置が構成できる。
【００２２】
（９）前記複数種のアンテナ素子の選択条件は、前記アンテナ素子に対する給電点の位置、前記アンテナ素子と対向するグランドとの間隔、前記アンテナ素子のサイズのいずれか又はこれらの複数の組み合わせである。
【００２３】
これにより、放射Ｑの良好なアンテナ素子を容易且つ確実に選定でき、高効率なアンテナ装置が構成できる。
【発明の効果】
【００２４】
この発明によれば、複数のアンテナポートに接続されるＲＦ回路は一つのアンテナ素子を兼用することができる。したがって、与えられたスペース一杯にアンテナ素子を設けることができ、エリア分割に伴う弊害を回避し良好なアンテナ特性（帯域幅，効率）を得ることができる。
【図面の簡単な説明】
【００２５】
【図１】非特許文献１のアンテナ装置の構成を示す図である。
【図２】第１の実施形態に係るアンテナ装置１０１の構成を示す斜視図である。
【図３】アンテナ装置１０１の回路図である。
【図４】図４（Ａ）はローバンドで通信を行う状態での回路図、図４（Ｂ）はローバンドで通信を行う状態でのアンテナのリターンロスについての周波数特性を示す図である。
【図５】図５（Ａ）はハイバンドで通信を行う状態での回路図、図５（Ｂ）はハイバンドで通信を行う状態でのアンテナのリターンロスについての周波数特性を示す図である。
【図６】図４に示したアンテナ装置における可変マッチング回路３０Ｌ，３０Ｈによる上述の機能を等価的に表すブロック図である。
【図７】検討対象のアンテナ装置のアンテナ素子（筺体電流を含めた擬似的ダイポールアンテナ）の構成図である。
【図８】ローバンド用の可変マッチング回路３０Ｌ及びハイバンド用の可変マッチング回路３０Ｈの回路である。
【図９】図８におけるポートからアンテナ素子２０を見たリターンロスの周波数特性図である。
【図１０】図８に示した、ローバンド用の可変マッチング回路３０Ｌ及びハイバンド用の可変マッチング回路３０Ｈを、分岐点を境にしてそのまま接合した場合の特性悪化の様子を示す図である。
【図１１】ローバンド用可変マッチング回路３０Ｌ及びハイバンド用可変マッチング回路３０Ｈの回路定数を最適に設定し、ローバンド用可変マッチング回路３０Ｌを使用する状態での特性を示す図である。
【図１２】ローバンド用可変マッチング回路３０Ｌ及びハイバンド用可変マッチング回路３０Ｈの回路定数を最適に設定し、ハイバンド用可変マッチング回路３０Ｈを使用する状態での特性を示す図である。
【図１３】ローバンド用可変マッチング回路及びハイバンド用可変マッチング回路のそれぞれを個別部品で構成した例である。
【図１４】直方体形状の誘電体基体の表面に漏斗状に広がったアンテナ素子電極２１Ａを形成したアンテナ素子２０Ａを用いたアンテナ装置の分解斜視図である。
【図１５】ほぼ直方体形状の誘電体基体の表面に、中央がスリットで分岐されたアンテナ素子電極２１Ｂを備えたアンテナ素子２０Ｂを用いたアンテナ装置の分解斜視図である。
【図１６】携帯電話端末の下部筐体内にローバンド用及びハイバンド用の可変マッチング回路を備え、上部筐体をアンテナ素子として作用させるようにしたアンテナ装置の構成図である。
【図１７】第３の実施形態に係る幾つかのアンテナ装置の回路図である。
【図１８】ローバンド側またはハイバンド側の可変マッチング回路の構成例である。
【図１９】図１８に示した可変リアクタンス部ＲＣ及びマッチング部Ｍをローバンド用に切り替えた可変マッチング回路の特性について示す図であり、図１９（Ａ）はローバンド側の使用ポートから可変マッチング回路側を見た入力インピーダンスをスミスチャート上に表した図、図１９（Ｂ）はリターンロスの周波数特性図である。
【図２０】図１８に示した可変リアクタンス部ＲＣ及びマッチング部Ｍをハイバンド側に切り替えた可変マッチング回路の特性について示す図であり、図２０（Ａ）はハイバンド側の使用ポートから可変マッチング回路側を見た入力インピーダンスをスミスチャート上に表した図、図２０（Ｂ）はリターンロスの周波数特性図である。
【図２１】図１８に示したマッチング部ＭのキャパシタＣ２の作用について示す図である。図２１（Ａ）はローバンド側の使用ポートから可変マッチング回路側を見たインピーダンスをスミスチャート上に表した図、図２１（Ｂ）はリターンロスの周波数特性図である。
【図２２】図１８に示したマッチング部ＭのキャパシタＣ２の作用について示す図である。図２２（Ａ）はローバンド側の使用ポートから可変マッチング回路側を見たインピーダンスをスミスチャート上に表した図、図２２（Ｂ）はリターンロスの周波数特性図である。
【図２３】マッチング部ＭのインダクタＬ２（並列インダクタ）の作用について示す図である。
【図２４】ローバンド用とハイバンド用の可変マッチング回路を一体化した可変マッチング回路３０を基板３１に実装したアンテナ装置の構成図である。
【図２５】アンテナ素子２０Ｃにアンテナ素子電極２１Ｃを形成するとともに、誘電体基体内部に可変マッチング回路３０Ｃを構成したアンテナ装置の分解斜視図である。
【図２６】放射Ｑの異なる２種類のアンテナの斜視図である。
【発明を実施するための形態】
【００２６】
《第１の実施形態》
第１の実施形態に係るアンテナ装置について各図を参照して説明する。
この発明に係るアンテナ装置の基本構成は、アンテナ素子が１つあり、アンテナ素子→アンテナ整合回路→通信ポートの順に繋がり、通信ポートは複数であって、各々の通信ポートに周波数帯の違う出力が取り出せる。
【００２７】
すなわち、アンテナ素子からマッチング回路までを含めたアンテナ装置として、複数帯域を複数ポートに分波できるものである。換言すると、ダイプレックス機能を兼ねた可変マッチング回路を備えたアンテナ装置である。
図２は、第１の実施形態に係るアンテナ装置の構成を示す斜視図である。回路基板（以下、単に「基板」という。）３１にはグランド領域ＧＡ及び非グランド領域ＮＧＡが設けられていて、この基板３１上にローバンド用可変マッチング回路３０Ｌ及びハイバンド用可変マッチング回路３０Ｈが構成されている。そして、アンテナ素子電極２１が形成されたアンテナ素子２０が、基板３１の非グランド領域ＮＧＡに実装されることによってアンテナ装置１０１が構成される。
【００２８】
アンテナ接続部３２から分岐点を境に二つの通信ポートへの分岐経路が延びていて、各経路は可変マッチング回路３０Ｌ，３０Ｈをそれぞれ介在して給電部４０Ｌ，４０Ｈに接続されている。
【００２９】
図３はアンテナ装置１０１の回路図である。図３に示すように、ローバンド用可変マッチング回路３０Ｌは、アンテナ素子２０とローバンドの給電部４０Ｌとの間に構成されている。また、ハイバンド用可変マッチング回路３０Ｈは、アンテナ素子２０とハイバンドの給電部４０Ｈとの間に構成されている。
【００３０】
前記ローバンド用可変マッチング回路３０Ｌは、可変リアクタンス部ＲＣ及びマッチング部Ｍで構成されている。可変リアクタンス部ＲＣはインダクタＬ１１とキャパシタＣ１１の並列回路で構成されていて、そのＬＣ並列回路がアンテナ素子２０の根元部に直列に接続されている。マッチング部ＭはインダクタＬ１２（本発明に係る並列インダクタ）とキャパシタＣ１２（本発明に係る並列キャパシタ）の並列回路で構成されていて、そのＬＣ並列回路が給電部４０Ｌと可変リアクタンス部ＲＣとの間でシャントに接続されている。
【００３１】
ハイバンド用可変マッチング回路３０Ｈについても同様に、可変リアクタンス部ＲＣ及びマッチング部Ｍで構成されている。可変リアクタンス部ＲＣはインダクタＬ２１とキャパシタＣ２１の並列回路で構成されていて、そのＬＣ並列回路がアンテナ素子２０の根元部に直列に接続されている。マッチング部ＭはインダクタＬ２２（並列インダクタ）とキャパシタＣ２２（並列キャパシタ）の並列回路で構成されていて、そのＬＣ並列回路が給電部４０Ｈと可変リアクタンス部ＲＣとの間でシャントに接続されている。
【００３２】
図４（Ａ）はローバンドで通信を行う状態での回路図、図４（Ｂ）はローバンドで通信を行う状態でのアンテナのリターンロスについての周波数特性を示す図である。
図５（Ａ）はハイバンドで通信を行う状態での回路図、図５（Ｂ）はハイバンドで通信を行う状態でのアンテナのリターンロスについての周波数特性を示す図である。
【００３３】
ローバンドで通信を行う状態では、図４（Ａ）に示すように、ローバンド用可変マッチング回路３０Ｌは、ローバンド側の使用通信ポートとアンテナ側ポートとが整合状態なり、また、分岐点からみて非使用通信ポート側（ハイバンド側の通信ポート）が高インピーダンスとなるように制御する。
【００３４】
そのため、図４（Ｂ）に示すように、アンテナのリターンロスはローバンド側で低くなり、アンテナはローバンドでの通信に使用可能となる。このとき、ハイバンド側の可変マッチング回路３０Ｈは等価的に非接続状態となるので、可変マッチング回路３０Ｈが、可変マッチング回路３０Ｌとアンテナとの間の通電ラインへアンテナ特性上の影響を与えない。
【００３５】
同様に、ハイバンドで通信を行う状態では、図５（Ａ）に示すように、ローバンド用可変マッチング回路３０Ｌは、ハイバンド側の使用通信ポートとアンテナ側ポートとが整合状態なり、また、分岐点からみて非使用通信ポート側（ローバンド側の通信ポート）が高インピーダンスとなるように制御する。
【００３６】
そのため、図５（Ｂ）に示すように、アンテナのリターンロスはハイバンド側で低くなり、アンテナはハイバンドでの通信に使用可能となる。このとき、ローバンド側の可変マッチング回路３０Ｌは等価的に非接続状態となるので、可変マッチング回路３０Ｌが、可変マッチング回路３０Ｈとアンテナとの間の通電ラインへアンテナ特性上の影響を与えない。
【００３７】
図６は、図４に示したアンテナ装置における可変マッチング回路３０Ｌ，３０Ｈによる上述の機能を等価的に表すブロック図である。本発明の可変マッチング回路３０Ｌ，３０Ｈによる機能は、ローバンド側の通信ポート及びハイバンド側の通信ポートに分波する分波回路と、この分波回路とアンテナ素子２０との間の整合をとる整合回路とで実現できる。
【００３８】
しかし、この図６に示した回路を実際に構成するとなると、分波回路と整合回路とがシリーズに２段接続された構成となるので、通過ロスが大きくなる。これに対し、本発明では一段の回路構成で前述の分波と整合を同時に実現できる。
【００３９】
ここで、前記可変マッチング回路３０Ｌ，３０Ｈの具体的な設計例を示す。
先ず、回路シミュレーション上にて、可変マッチング回路でダイプレクス機能を兼ねる実現性を検証した。図７は検討対象のアンテナ装置のアンテナ素子（筺体電流を含めた擬似的ダイポールアンテナ）の構成図である。図７に示す一つのアンテナ素子２０に対してローバンドとハイバンドの各々でマッチング回路の定数を決定した。
【００４０】
図７において、基板３１の非グランド領域ＮＧＡの幅寸法Ｗは４０ｍｍ、奥行き寸法Ｌは４ｍｍである。また、アンテナ素子２０の高さ寸法Ｔは３ｍｍであり、その長さは基板３１の非グランド領域ＮＧＡの幅寸法Ｗに等しい。
【００４１】
図８は、ローバンド用の可変マッチング回路３０Ｌ及びハイバンド用の可変マッチング回路３０Ｈの回路である。
【００４２】
図９はポートからアンテナ素子２０を見たリターンロスの周波数特性図である。図９において、曲線ＲＬ１はローバンド用可変マッチング回路３０Ｌを通して、ポートからアンテナ素子２０を見たリターンロス、曲線ＲＬ２はハイバンド用可変マッチング回路３０Ｈを通して、ポートからアンテナ素子２０を見たリターンロスである。
【００４３】
図８に示した、ローバンド用の可変マッチング回路３０Ｌ及びハイバンド用の可変マッチング回路３０Ｈを、分岐点を境にしてそのまま接合してしまうと、ローバンド用の可変マッチング回路３０Ｌ及びハイバンド用の可変マッチング回路３０Ｈ単独では最適であったマッチング状態（ローバンド側の使用通信ポート又はハイバンド側の使用通信ポートとアンテナ素子間のマッチング状態）は崩れる。また、ローバンドでのアイソレーション（ローバンド側の使用通信ポートとハイバンド側の使用通信ポートとの間のアイソレーション）も悪化する。
【００４４】
図１０はそのことを示す図である。図１０において、曲線ＲＬ１はローバンド用可変マッチング回路３０Ｌを通して、ポートからアンテナ素子２０を見たリターンロス、曲線ＲＬ２はハイバンド用可変マッチング回路３０Ｈを通して、ポートからアンテナ素子２０を見たリターンロスである。また、Ｓ２１はローバンド側の通信ポートからハイバンド側の通信ポートへの透過量（ＳパラメータのＳ２１）であり、アイソレーションを示している。
【００４５】
図１０に表れているように、９００ＭＨｚを中心周波数とするローバンドの周波数帯でリターンロスが悪化し、ローバンド側の通信ポートとハイバンド側の通信ポートとの間のアイソレーションがとれないことが分かる。
【００４６】
このことは、マッチング回路からアンテナ素子２０までの経路の途中（但しここは５０Ωではない）にマッチングを乱す負荷が装荷されていると捉えることができる。したがって、この“乱す”負荷を分岐点からみて対象周波数で十分に高インピーダンスに見えるようにすればよい。
【００４７】
次に、ローバンド用可変マッチング回路３０Ｌ及びハイバンド用可変マッチング回路３０Ｈの回路定数を最適に設定した状態の特性例を示す。
但し、アンテナポートは非５０Ωのポイントであり、厳密には、分岐点（アンテナポート）からローバンドの通信ポート（ポート１）又はハイバンドの通信ポート（ポート２）が“高アイソレーション”になっているか否かを見ることはできない。そこで、以降に説明するように、ローバンドの通信ポートとハイバンドの通信ポートとのアイソレーションが確保されるか否かについて示す。
【００４８】
図１１は、ローバンド用可変マッチング回路３０Ｌ及びハイバンド用可変マッチング回路３０Ｈの回路定数を最適に設定し、ローバンド用可変マッチング回路３０Ｌを使用する状態での特性を示す図である。図１１（Ａ）は可変マッチング回路３０Ｌ，３０Ｈの回路図、図１１（Ｂ）は前記可変マッチング回路３０Ｌ，３０Ｈの各部のインピーダンス軌跡をスミスチャート上に表した図、図１１（Ｃ）は前記可変マッチング回路３０Ｌ，３０Ｈの各部の周波数特性図である。図１１（Ｂ）中、太線部分はローバンドの周波数範囲である。
【００４９】
図１１（Ｂ），図１１（Ｃ）において、曲線ＲＬ１はポート１からアンテナ素子２０（ポート２）側を見たリターンロスの周波数特性図、曲線ＲＬ２はポート２からアンテナ素子２０（ポート１）側を見たリターンロスの周波数特性図、曲線Ｓ２１はポート１からポート２への透過量である。
【００５０】
図１０に示した特性と比較すれば明らかなように、ローバンドの周波数帯で、ポート１からポート２はオープンに見え、ポート２からポート１はショートに見える（全反射に近くなる）。このことから、ローバンドでポート１とアンテナポートとが整合し、且つアンテナポートから見てポート２が高インピーダンスに見えることになる。
【００５１】
したがってハイバンド用可変マッチング回路３０Ｈの影響を受けることなく、ローバンドの通信をポート１を用いて行うことができる。
【００５２】
図１２は、ローバンド用可変マッチング回路３０Ｌ及びハイバンド用可変マッチング回路３０Ｈの回路定数を最適に設定し、ハイバンド用可変マッチング回路３０Ｈを使用する状態での特性を示す図である。図１２（Ａ）は可変マッチング回路３０Ｌ，３０Ｈの回路図、図１２（Ｂ）は前記可変マッチング回路３０Ｌ，３０Ｈの各部のインピーダンス軌跡をスミスチャート上に表した図、図１２（Ｃ）は前記可変マッチング回路３０Ｌ，３０Ｈの各部の周波数特性図である。図１２（Ｂ）中、太線部分はハイバンドの周波数範囲である。
【００５３】
図１２（Ｂ），図１２（Ｃ）において、曲線ＲＬ１はポート１からアンテナ素子２０（ポート２）側を見たリターンロスの周波数特性図、曲線ＲＬ２はポート２からアンテナ素子２０（ポート１）側を見たリターンロスの周波数特性図、曲線Ｓ２１はポート１からポート２への透過量である。
【００５４】
図１０に示した特性と比較すれば明らかなように、ハイバンドの周波数帯で、ポート２からポート１はオープンに見え、ポート１からポート２はショートに見える（全反射に近くなる）。このことから、ハイバンドでポート２とアンテナポートとが整合し、且つアンテナポートから見てポート２が高インピーダンスに見えることになる。
【００５５】
したがってローバンド用可変マッチング回路３０Ｌの影響を受けることなく、ハイバンドの通信をポート２を用いて行うことができる。
【００５６】
《第２の実施形態》
第２の実施形態に係る幾つかのアンテナ装置について、図１３〜図１６を参照して説明する。
図１３は、ローバンド用可変マッチング回路及びハイバンド用可変マッチング回路のそれぞれを個別部品で構成した例である。基板３１にはグランド領域ＧＡ及び非グランド領域ＮＧＡが設けられていて、この基板３１上にチップ状可変容量素子Ｃ１１，Ｃ１２，Ｃ２１，Ｃ２２、チップインダクタＬ１１，Ｌ１２，Ｌ２１，Ｌ２２がそれぞれ実装されている。これらのチップ部品の記号は図３中に示した回路素子の記号に対応している。
【００５７】
このようにして、基板３１上に上記複数のチップ部品を実装することによって、ローバンド用可変マッチング回路及びハイバンド用可変マッチング回路が構成される。そして、アンテナ素子電極２１が形成されたアンテナ素子２０が、基板３１の非グランド領域ＮＧＡに実装されることによってアンテナ装置が構成される。
【００５８】
アンテナ接続部３２から分岐点を境に二つの出力ポートへの分岐経路が延びていて、各経路は二つの可変マッチング回路をそれぞれ介在して給電部４０Ｌ，４０Ｈに接続される。
【００５９】
図１４は、直方体（角柱）形状の誘電体基体の表面に漏斗状に広がったアンテナ素子電極２１Ａを形成したアンテナ素子２０Ａを用いた例である。このようにアンテナ素子２０Ａの給電部からアンテナ素子電極２１Ａが徐々に広がったパターンのアンテナ素子電極２１Ａを形成することによって、広い周波数帯域に亘って１／４波長で共振することになり、広帯域化が促進される。
【００６０】
図１４に示した例では、アンテナ素子２０Ａの底面に、アンテナ接続部に対する電極のみを形成しているので、またアンテナ素子２０Ａにある程度の体積を備えているので、基板３１Ａのグランド領域に直接実装可能である。
【００６１】
図１５は、ほぼ直方体形状の誘電体基体の表面に、中央がスリットで分岐されたアンテナ素子電極２１Ｂを備えたアンテナ素子２０Ｂを用いた例である。このようにアンテナ素子電極２１Ｂがスリットで分岐されていることによって、アンテナ素子電極の基本波でローバンド用のアンテナ素子として作用し、アンテナ素子電極の二次高調波でハイバンド用のアンテナ素子として作用する。あるいは、分岐素子の一方がローバンド用のアンテナ素子として作用し、もう一方がハイバンド用のアンテナ素子として作用する。
【００６２】
図１６は、携帯電話端末の下部筐体内にローバンド用及びハイバンド用の可変マッチング回路を備え、上部筐体をアンテナ素子として作用させるようにした例である。このように、アンテナ素子が基板上に実装されないタイプであっても適用できる。
【００６３】
《第３の実施形態》
図１７は第３の実施形態に係る幾つかのアンテナ装置の構成図である。第３の実施形態では、アンテナ素子と複数の可変マッチング回路との分岐点の位置の他の例を示すものである。図１７（Ａ）は分岐点を基板のグランド領域ＧＡ外に設けた例であり、これは第１・第２の実施形態で示したものと同様である。図１７（Ｂ）は分岐点をアンテナ素子２０内に設けた例である。図１７（Ｃ）は分岐点を基板のグランド領域内に設けた例である。さらに、図１７（Ｄ）は、二つの可変マッチング回路３０Ｌ，３０Ｈを備えた可変マッチング回路内に分岐点を設けた例である。
【００６４】
《第４の実施形態》
第４の実施形態では、対象の周波数帯域にアンテナの共振周波数を合わせるReconfigureな作用だけでなく、人体の手や躰の影響によってずれる、アンテナと給電回路とのマッチング（＝アンテナの入力インピーダンス）を補正し、人体の手や躰の影響を受けた環境下でより良いＶＳＷＲにするAdjustableな作用を奏する可変マッチング回路の例を示す。
【００６５】
図１８はローバンド側またはハイバンド側の可変マッチング回路の構成例である。この可変マッチング回路は、可変リアクタンス部ＲＣ及びマッチング部Ｍで構成されている。可変リアクタンス部ＲＣはインダクタＬ１とキャパシタＣ１の並列回路で構成されていて、そのＬＣ並列回路がアンテナ素子２０の根元部に直列に接続される。マッチング部ＭはインダクタＬ２（本発明に係る並列インダクタ）とキャパシタＣ２（本発明に係る並列キャパシタ）の並列回路で構成されていて、そのＬＣ並列回路が給電部４０と可変リアクタンス部ＲＣとの間にシャントに接続されている。
【００６６】
非使用ポートを高インピーダンスにみせる作用は、可変リアクタンス部ＲＣとインダクタＬ２（並列インダクタ）でほぼ決まってしまうこと、特に可変リアクタンス部のＬＣ共振子の作用が大きいことを確認している。
【００６７】
図１９は、可変リアクタンス部ＲＣ及びマッチング部Ｍをローバンド用に切り替えた（対応させた）可変マッチング回路の特性について示す図であり、図１９（Ａ）はローバンド側の通信ポートから可変マッチング回路側を見た入力インピーダンスをスミスチャート上に表した図、図１９（Ｂ）はリターンロスの周波数特性図である。
【００６８】
この時の周波数７００ＭＨｚ〜２７００ＭＨｚでのスミスチャート上のインピーダンス軌跡は軌跡ＳＣＴｆで表されるものとなる。また、この時のリターンロスは図１９（Ｂ）において曲線ＲＬｆで表す特性となる。このように９００ＭＨｚを中心周波数とするローバンドの周波数帯でリターンロスが確保される。
【００６９】
アンテナ装置が例えば携帯電話端末に組み込まれて、そのアンテナ装置の近傍に、人体頭部が近接する、また、さらに、携帯電話端末を持つ手が被る状態（以下、「人体近接状態」という。）で最適な整合状態となるためには、可変リアクタンス部ＲＣのキャパシタＣ１、マッチング部ＭのキャパシタＣ２を可変とする。このことにより、図１９（Ａ）において軌跡ＳＣＴｈで示すように、インピーダンス軌跡は小円（小ループ）が小さくなるとともにスミスチャートの中央部に移動する。その結果、図１９（Ｂ）においてリターンロスＲＬｈで示すように９００ＭＨｚ帯で充分なリターンロス特性が得られる。
【００７０】
図２０は、可変リアクタンス部ＲＣ及びマッチング部Ｍをハイバンド側に切り替えた（対応させた）可変マッチング回路の特性について示す図であり、図２０（Ａ）はハイバンド側の使用ポートから可変マッチング回路側を見た入力インピーダンスをスミスチャート上に表した図、図２０（Ｂ）はリターンロスの周波数特性図である。
【００７１】
この時の周波数７００ＭＨｚ〜２７００ＭＨｚでのスミスチャート上のインピーダンス軌跡は軌跡ＳＣＴｆで表されるものとなる。また、この時のリターンロスは図２０（Ｂ）において曲線ＲＬｆで表す特性となる。このように１９００ＭＨｚを中心とするハイバンドの周波数帯域でリターンロスが確保される。
【００７２】
前記アンテナ装置１０１の人体近接状態で最適な整合状態となるためには、マッチング部ＭのキャパシタＣ２を可変とする。このことにより、図２０（Ａ）において軌跡ＳＣＴｈで示すように、インピーダンス軌跡はループ（小円）が小さくなるとともにスミスチャートの中央部に移動する。その結果、図２０（Ｂ）においてリターンロスＲＬｈで示すように１９００ＭＨｚを中心とするハイバンドの帯域で充分なリターンロス特性が得られる。
【００７３】
前記可変リアクタンス部ＲＣは、アンテナ素子２０が有する初期リアクタンス値にリアクタンスをプラスすることによりアンテナの共振周波数を所定値に定める。この可変リアクタンス部ＲＣのキャパシタＣ１の値の調整によって、人体の影響により変化する共振周波数の微調整も行う。
【００７４】
図２１は、マッチング部ＭのキャパシタＣ２の作用について示す図である。図２１（Ａ）はローバンド側の通信ポートから可変マッチング回路側を見たインピーダンスをスミスチャート上に表した図、図２１（Ｂ）はリターンロスの周波数特性図である。
【００７５】
本発明のAdjustableな作用を奏する可変マッチング回路は、マッチング部ＭのキャパシタＣ２で小円軌跡をスミスチャートの第１象限から中央（５０Ω）付近に移動させることを基本とし、（１）人体影響の「無」から「有」の状態遷移と、（２）周波数帯域の切替え時の広帯域化とを、共通（兼用）のアーキテクチャで賄うことが大きな特徴である。何故（１）（２）のいずれにおいても共通のアーキテクチャ（＝回路構成）で賄えるのか、以後で説明する。
【００７６】
図２１（Ａ）はローバンドについて小円軌跡をスミスチャート上の第１象限から中央へ移動させる様子を示している。図２１（Ａ）において、小円軌跡ＳＣＴｆ０はフリー状態でのインピーダンス軌跡、小円軌跡ＳＣＴｈ０は人体近接状態でのインピーダンス軌跡である。また、小円軌跡ＳＣＴｆは、マッチング部ＭのキャパシタＣ２によって、前記小円軌跡ＳＣＴｆ０の移動後の小円軌跡である。小円軌跡ＳＣＴｈは、マッチング部ＭのキャパシタＣ２によって、前記小円軌跡ＳＣＴｈ０の移動後の小円軌跡である。
【００７７】
後述するように、人体の影響は、スミスチャートの第１象限にある小円軌跡の大きさがその位置で小さくなるように作用する。
【００７８】
図２１（Ｂ）において、曲線ＲＬｆ０は前記小円軌跡ＳＣＴｆ０に対応するリターンロス、曲線ＲＬｈ０は前記小円軌跡ＳＣＴｈ０に対応するリターンロスである。また、曲線ＲＬｆは前記小円軌跡ＳＣＴｆに対応するリターンロス、曲線ＲＬｈは前記小円軌跡ＳＣＴｈに対応するリターンロスである。
【００７９】
図２２は図１８に示したマッチング部ＭのキャパシタＣ２の作用について示す図である。図２２（Ａ）はハイバンド側の使用ポートから可変マッチング回路側を見たインピーダンスをスミスチャート上に表した図、図２２（Ｂ）はリターンロスの周波数特性図である。
【００８０】
図２２（Ａ）はハイバンドについて小円軌跡をスミスチャート上の第１象限から中央へ移動させる様子を示している。図２２（Ａ）において、小円軌跡ＳＣＴｆ０はフリー状態でのインピーダンス軌跡、小円軌跡ＳＣＴｈ０は人体近接状態でのインピーダンス軌跡である。また、小円軌跡ＳＣＴｆは、マッチング部ＭのキャパシタＣ２によって、前記小円軌跡ＳＣＴｆ０の移動後の小円軌跡である。小円軌跡ＳＣＴｈは、マッチング部ＭのキャパシタＣ２によって、前記小円軌跡ＳＣＴｈ０の移動後の小円軌跡である。
【００８１】
図２２（Ｂ）において、曲線ＲＬｆ０は前記小円軌跡ＳＣＴｆ０に対応するリターンロス、曲線ＲＬｈ０は前記小円軌跡ＳＣＴｈ０に対応するリターンロスである。また、曲線ＲＬｆは前記小円軌跡ＳＣＴｆに対応するリターンロス、曲線ＲＬｈは前記小円軌跡ＳＣＴｈに対応するリターンロスである。
【００８２】
なお、前記小円軌跡ＳＣＴｈ０は第１象限だけでなく第２象限にもかかっているが、マッチング部ＭのキャパシタＣ２（並列Ｃ）の作用によって、スミスチャートの中心部へ近づくことになる。前記マッチング部ＭのインダクタＬ２（並列インダクタ）は、給電部から可変マッチング回路側を見たインピーダンスの軌跡がスミスチャートのほぼ第１象限で小円軌跡を描くが、小円軌跡が前記並列Ｃでスミスチャートの中心部へ近づく位置であればよい。すなわち、前記「ほぼ第１象限」の「ほぼ」の意味は、この意味である。
【００８３】
このように、マッチング部ＭのインダクタＬ２によってインピーダンス軌跡の小円（後にスミスチャート上の中央付近で回転する小円）を描かせ、マッチング部ＭのキャパシタＣ２によってスミスチャートの第１象限から前記小円を含む軌跡の回転をスミスチャート上の中央（５０Ω）付近に移動させる。すなわち、周波数変化によるスミスチャート上のインピーダンス軌跡がスミスチャートの中央で小円を描く。このことは、マッチング部Ｍが、給電部からアンテナ接続部の方向に見たリターンロス特性が所定の周波数帯域で複共振するインピーダンス回路を構成することを意味する。
【００８４】
なお、マッチング部ＭのインダクタＬ２は、後述するように、インピーダンス軌跡を小円化するとともにスミスチャートの第１象限に位置させる作用がある。このインダクタＬ２は、ローバンドの共振系とハイバンドの共振系とで最適値が異なるが、ローバンド／ハイバンドの切替をできる限り行わなくて済むように、両者間の中間的（妥協的）な値に固定している。
【００８５】
図２３は、マッチング部ＭのインダクタＬ２（並列インダクタ）の作用について示す図である。（Ａ）はアンテナ素子２０の共振周波数をハイバンドに設定し、可変マッチング回路にマッチング部のインダクタＬ２のみを設けた状態の斜視図、（Ｂ）は給電部から可変マッチング回路側を見たインピーダンスをスミスチャート上に表した図、（Ｃ）はリターンロスの周波数特性図である。
【００８６】
本発明の可変マッチング回路のアーキテクチャのもう一つの特徴は、スミスチャート上のインピーダンス軌跡を小円にするとともにスミスチャート上の第１象限に位置させることである。このことはローバンド・ハイバンドともに、人体の影響を受けた際に第１象限（初期位置）において小円がより小さくなる方向に作用するので、マッチング部ＭのキャパシタＣ２でスミスチャート上の中央を狙う場合有利に作用する。
【００８７】
図２３（Ｂ）において、マッチング部のインダクタＬ２を備えない場合は、軌跡ＳＣＴ０のうち周波数１７１０〜２１７０ＭＨｚの範囲はスミスチャート上の第１象限及び第３象限に存在し、元々５０Ωより低い領域にある。マッチング部インダクタＬ２を設けることにより、軌跡ＳＣＴ０は軌跡ＳＣＴ１のように小円状態になるとともにスミスチャート上の第１象限方向へ移動する。
【００８８】
リターンロスで表せば、図２３（Ｃ）のようにマッチング部インダクタＬ２がない場合のリターンロスＲＬ０からマッチング部インダクタＬ２が存在する場合のリターンロスＲＬ１に変化する。
【００８９】
なお、図２３ではハイバンドモノポールのアンテナを例示したが、ローバンドモノポールのアンテナでも同傾向にあることを確認している。また、非グランド領域に搭載するNon-GNDタイプのアンテナに限らず、グランド領域に搭載するOn-GNDタイプのアンテナにでも同傾向にあることを確認している。
【００９０】
以上に述べたように、マッチング部ＭのキャパシタＣ２によってスミスチャートの第１象限に形成された小円軌跡を中央（５０Ω）付近に移動させる際に、（１）人体影響の「無」から「有」の状態遷移と、（２）周波数帯域の切替え時の広帯域化とを、共通（兼用）のアーキテクチャで対応することができる。
【００９１】
《第５の実施形態》
第５の実施形態では、ローバンド用とハイバンド用の可変マッチング回路を一体化した例を示す。
図２４は、ローバンド用とハイバンド用の可変マッチング回路を一体化した（モジュール化した）可変マッチング回路３０を基板３１に実装した例である。その他の構成は図２に示したものと同様である。このように、複数のバンド用の可変マッチング回路をモジュール化することによって全体に小型化できる。
【００９２】
図２５は、アンテナ素子２０Ｃにアンテナ素子電極２１Ｃを形成するとともに、誘電体基体内部に可変マッチング回路３０Ｃを構成した例である。したがって、このアンテナ素子２０Ｃを実装する先の基板３１Ｃには単にそれぞれのバンドの給電部４０Ｌ，４０Ｈを設ければよい。
【００９３】
《第６の実施形態》
第６の実施形態では、放射Ｑの良いアンテナの選択について示す。
結論としては、この発明の可変マッチング回路を適用した場合の効率は、アンテナ（共振周波数を所望の周波数帯にもってくる装荷リアクタンス以外の整合回路を含まないアンテナ素子と輻射に寄与する筐体部分とを含んだ［擬似ダイポールとしての］アンテナ）そのものの持つ放射Ｑに依存する。このアンテナにはできる限り放射Ｑの良いもの（値の小さなもの）を選択すべきである。
【００９４】
第６の実施形態では、この効果を実験的に検証するものである。
まず、放射Ｑの異なる２種類のアンテナを準備し、各々に可変マッチング回路を適用し，その特性を測定した。
【００９５】
図２６はその２種類のアンテナの斜視図である。図２６（Ａ），図２６（Ｂ）の何れの例でも、共振周波数を所望の値に持ってくるようアンテナ接続部３２と給電部４０との間に、共振周波数を所望の周波数帯にもってくる装荷リアクタンスＬ１ａを挿入し、アンテナ素子２０に対して給電位置を変えるように構成している。
【００９６】
図２６（Ａ）の例では、アンテナ接続部３２を基板３１の中央部に配置するとともに、中央給電のアンテナ素子２０を接続するように構成している。また図２６（Ｂ）の例では、アンテナ接続部３２を基板３１Ｂの端部に配置するとともに、端部給電のアンテナ素子２０Ｂを接続するように構成している。
【００９７】
上記２種類のアンテナの放射Ｑの値とマッチング回路付加後の平均効率は次のとおりであった。
【００９８】
〈中央給電アンテナ〉
ローバンド
放射Ｑ：８．４
効  率：−２．６ｄＢ
ハイバンド
放射Ｑ：２５．４
効  率：−２．３ｄＢ
〈端部給電アンテナ〉
ローバンド
放射Ｑ：９．８
効  率：−２．４ｄＢ
ハイバンド
放射Ｑ：３５．８
効  率：−３．９ｄＢ
【００９９】
このように中央給電にすることによって良好な（値の小さな）アンテナの放射Ｑが得られた。また、中央給電にすることによって、ハイバンドで良好な効率が得られた。そして、前記装荷リアクタンスＬ１ａに代えて、既に各実施形態で示した可変マッチング回路を実装すると、アンテナの放射Ｑの実力が反映され、放射Ｑが良好な（値が小さな）アンテナである程、高効率特性が得られた。
【０１００】
上述の例では中央給電アンテナと端部給電アンテナとを比較して放射Ｑの良好なアンテナを選択すべきであることを示したが、単に給電形式以外に、アンテナ素子と対向するグランドとの間隔、アンテナ素子のサイズによっても放射Ｑは異なるので、これらのいずれか又はこれらの複数の組み合わせを選定条件として、放射Ｑの良好な（値の小さな）アンテナ素子を選定すればよい。
【０１０１】
なお、以上に示した各実施形態では、ローバンドとハイバンドの二つの出力ポートを備えた例を挙げたが、３つ以上のポートを備えたものにも同様に適用できる。また、セルラー通信以外に用いるポート、例えばＷＬＡＮ，Ｂｌｕｅｔｏｏｔｈ，Ｗｉｍａｘ，ＧＰＳなどのポートに適用してもよい。
【０１０２】
また、アンテナ素子が基板のグランド電極上か非グランド電極上のいずれに搭載するかは問わない。
また、アンテナ素子電極の構成、アンテナ素子電極と基板上パターンとのインターフェースは以上に示したものに限定されない。公知のパターン及びインターフェースにも全般的に適用できる。
【０１０３】
また、アンテナ素子は、基本波及び高調波を割当てた形状のものや、アンテナ素子中にリアクタンス素子を挿入して複数のバンドに共振点を有するようにしたものであってもよい。また直方体形状や略直方体形状に限らず屈曲形状やループ形状であってもよい。
【０１０４】
また、アンテナ素子は誘電体の基体に電極パターンを形成したものに限らず、磁性体基体に電極パターンを形成して構成してもよい。
【０１０５】
また、図４では可変マッチング回路の代表的な構成を示したが、本発明に係る可変マッチング回路はこの構成に限らず、可変マッチング部を有するマッチング回路であれば、他の構成も取り得ることは勿論である。
【０１０６】
また、以上に示した例では、可変リアクタンス部を並列のＬＣ共振回路で構成したが、これに限らない。総体としてリアクタンス可変ができればよく、ＬＣ直列共振回路や、特許文献３（特開２００８−１１３２３３号公報）のようなＬＣ共振子に＋αのディスクリート素子を付加したものであってもよい。
【０１０７】
また、可変リアクタンス部のＬＣ共振子のインダクタ及びマッチング部のインダクタはディスクリート素子に限らず、例えばラインパターンなどに置換してもよい。
【０１０８】
また、可変キャパシタはＭＥＭＳ（Micro Electro Mechanical Systems）スイッチで構成してもよい。ＭＥＭＳスイッチを用いれば、バラクタダイオードのように、容量形成部に生じる容量が信号電圧によって変化することが殆どなく、したがって高調波歪みの発生を抑えられる。
【符号の説明】
【０１０９】
ＧＡ…グランド領域
Ｍ…マッチング部
ＮＧＡ…非グランド領域
ＲＣ…可変リアクタンス部
ＳＣＴｆ，ＳＣＴｈ…小円軌跡
ＳＣＴｆ０，ＳＣＴｈ０…小円軌跡
２０…アンテナ素子
２０Ａ〜２０Ｃ…アンテナ素子
２１…アンテナ素子電極
２１Ａ〜２１Ｃ…アンテナ素子電極
３０…可変マッチング回路
３０Ｃ…可変マッチング回路
３０Ｈ…ハイバンド用可変マッチング回路
３０Ｌ…ローバンド用可変マッチング回路
３１…基板
３１Ａ〜３１Ｃ…基板
３２…アンテナ接続部
３９…給電部
４０…給電部
４０Ｌ，４０Ｈ…給電部
１０１…アンテナ装置
【図１】
2011055258.tif 000003
【図２】
2011055258.tif 000004
【図３】
2011055258.tif 000005
【図４】
2011055258.tif 000006
【図５】
2011055258.tif 000007
【図６】
2011055258.tif 000008
【図７】
2011055258.tif 000009
【図８】
2011055258.tif 000010
【図９】
2011055258.tif 000011
【図１０】
2011055258.tif 000012
【図１１】
2011055258.tif 000013
【図１２】
2011055258.tif 000014
【図１３】
2011055258.tif 000015
【図１４】
2011055258.tif 000016
【図１５】
2011055258.tif 000017
【図１６】
2011055258.tif 000018
【図１７】
2011055258.tif 000019
【図１８】
2011055258.tif 000020
【図１９】
2011055258.tif 000021
【図２０】
2011055258.tif 000022
【図２１】
2011055258.tif 000023
【図２２】
2011055258.tif 000024
【図２３】
2011055258.tif 000025
【図２４】
2011055258.tif 000026
【図２５】
2011055258.tif 000027
【図２６】
2011055258.tif 000028